(57)【特許請求の範囲】
【請求項１】
下面及び長手方向両端が夫々開放された反射板本体と、この本体の長手方向両端を夫々塞いで前記反射板本体に連結された端板とを有してなる反射板を備えた照明器具において、
前記反射板本体に、この本体の下縁部と、この下縁部から外側に向けて折り曲げられた張り出し縁部と、この張り出し縁部から上向きに折り曲げられて前記下縁部の外面に対向する上向き縁部とからなる本体縁部を形成するとともに、前記下縁部又は上向き縁部の長手方向両端部に夫々孔又は切欠きからなる係合部を設け、
前記端板の両端下部の夫々に前記反射板本体側に突出しＵ字状に折り返されて弾性変形可能な連結突部を一体に設けるとともに、この連結突部の折り返し端部に係合片を設け、
前記連結突部をその幅が狭まる方向の弾性変形を伴って前記本体縁部の内側に挿入し、この連結突部を前記下縁部と前記上向き縁部とで挟むとともに前記係合片を前記係合部に引っ掛けて、前記端板を前記反射板本体に連結したことを特徴とする照明器具。
【請求項２】
下面及び長手方向両端が夫々開放された反射板本体と、この本体の長手方向両端を夫々塞いで前記反射板本体に連結された端板とを有してなる反射板を備えた照明器具において、
前記反射板本体に、この本体の下縁部と、この下縁部から外側に向けて折り曲げられた張り出し縁部と、この張り出し縁部から上向きに折り曲げられて前記下縁部の外面に対向する上向き縁部とからなる本体縁部を形成するとともに、前記下縁部又は上向き縁部の長手方向両端部に夫々孔又は切欠きからなる係合部を設け、
前記端板の両端下部の夫々に前記反射板本体側に突出してＵ字状に折り返されて弾性変形可能な連結突部を一体に設けるとともに、この連結突部の折り返し端部にこの端部の外面から突出する係合凸部を設け、
前記連結突部をその幅が狭まる方向の弾性変形を伴って前記本体縁部の内側に挿入し、この連結突部を前記下縁部と前記上向き縁部とで挟むとともに前記係合凸部を前記係合部に引っ掛けて、前記端板を前記反射板本体に連結したことを特徴とする照明器具。
【請求項３】
前記端板に前記反射板本体側に折れ曲がって前記反射板本体の長手方向両端部に重なる重なり片を設け、前記本体縁部間に位置して前記反射板本体の長手方向両端部と前記重なり片とのいずれか一方に係合孔を設け、他方に前記係合孔に引っ掛る係合突起を設けたことを特徴とする請求項１又は２に記載の照明器具。
【発明の詳細な説明】
【０００１】
【発明の属する技術分野】
本発明は、下面開放型の反射板を備えた照明器具に関する。
【０００２】
【従来の技術】
天井埋め込み型照明器具は下面開放型の板金製反射板を備え、この反射板は、図１１に示されるように下面及び長手方向両端が夫々開放された反射板本体１と、この本体１の長手方向両端を塞いで設けられる端板２とを有している。図１２に示されるように反射板本体１と端板２とは、互いに面接触して重なり合う部分をリベット３により夫々連結することによって組立てられていた。又、このようなリベット３による連結に代えて、溶接止め或いはねじ止めにより連結する反射板も知られており、又、前記重なり合う部分の一方に連結爪を設けるとともに他方に連結爪が通る連結孔を設け、この連結孔を通った連結爪を捻ったり折り曲げたりして実施されるかしめ止めにより組立られた反射板も知られている。なお、図１１中４はランプソケット、図１１及び図１２中５は反射板本体１の幅方向中央部に設置されるＶ形反射板である。
【０００３】
【発明が解決しようとする課題】
前記のようにリベット止めや溶接止め若しくはかしめ止めにより反射板本体１と端板２とを連結して反射板を組立てる従来においては、夫々の連結個所について個々に連結作業を行なうので、反射板の組立作業性が良くないとともにコスト高であるという問題がある。又、反射板本体及び端板がいずれもカラー鋼板である場合には、前記溶接止めによる連結を採用できないという問題がある。
【０００４】
したがって、本発明が解決しようとする課題は、下面開放型の反射板の組立作業性を向上できて安価に得ることができる照明器具を提供することにある。
【０００５】
【課題を解決するための手段】
本発明は、下面及び長手方向両端が夫々開放された反射板本体と、この本体の長手方向両端を夫々塞いで前記反射板本体に連結された端板とを有してなる反射板を備えた照明器具を前提とする。
【０００６】
そして、前記課題を解決するために、請求項１の発明は、前記反射板本体に、この本体の下縁部と、この下縁部から外側に向けて折り曲げられた張り出し縁部と、この張り出し縁部から上向きに折り曲げられて前記下縁部の外面に対向する上向き縁部とからなる本体縁部を形成するとともに、前記下縁部又は上向き縁部の長手方向両端部に夫々孔又は切欠きからなる係合部を設け、前記端板の両端下部の夫々に前記反射板本体側に突出しＵ字状に折り返されて弾性変形可能な連結突部を一体に設けるとともに、この連結突部の折り返し端部に係合片を設け、前記連結突部をその幅が狭まる方向の弾性変形を伴って前記本体縁部の内側に挿入し、この連結突部を前記下縁部と前記上向き縁部とで挟むとともに前記係合片を前記係合部に引っ掛けて、前記端板を前記反射板本体に連結したことを特徴とするものである。
【０００７】
この請求項１の発明においては、反射板本体に対して端板を位置合わせした状態で、この端板を反射板本体に押付け、端板のＵ字状に折り曲げられた一対の連結突部を、その幅が狭まるように弾性変形させながら反射板本体の溝状をなす一対の本体縁部の内側に夫々挿入することによって、これら反射板本体と端板とを連結できる。
【０００８】
すなわち、前記挿入に従い連結突部は、本体縁部の相対向する下縁部と立上り縁部とに弾性的に接して、これら下縁部と立上り縁部とで挟持される。そして、端板が反射板本体の長手方向の端面に当接して前記挿入操作が完了すると同時に、連結突部に設けた係合片が本体縁部の孔又は切欠きからなる係合部に丁度対向し、この係合片が連結突部の弾性力により係合部に入り込んで、端板が外れないように引っ掛る。したがって、既述のように端板を押込むだけの簡単な作業によって、反射板本体の下部と端板の下部とをリベット等の固定部品を用いたり、溶接止めやかしめ止め等によることなく連結できる。
【０００９】
同様に、前記課題を解決するために、請求項２の発明は、前記反射板本体に、この本体の下縁部と、この下縁部から外側に向けて折り曲げられた張り出し縁部と、この張り出し縁部から上向きに折り曲げられて前記下縁部の外面に対向する上向き縁部とからなる本体縁部を形成するとともに、前記下縁部又は上向き縁部の長手方向両端部に夫々孔又は切欠きからなる係合部を設け、前記端板の両端下部の夫々に前記反射板本体側に突出してＵ字状に折り返されて弾性変形可能な連結突部を一体に設けるとともに、この連結突部の折り返し端部にこの端部の外面から突出する係合凸部を設け、前記連結突部をその幅が狭まる方向の弾性変形を伴って前記本体縁部の内側に挿入し、この連結突部を前記下縁部と前記上向き縁部とで挟むとともに前記係合凸部を前記係合部に引っ掛けて、前記端板を前記反射板本体に連結したことを特徴とするものである。
【００１０】
この請求項２の発明においては、反射板本体に対して端板を位置合わせした状態で、この端板を反射板本体に押付け、端板のＵ字状に折り曲げられた一対の連結突部を、その幅が狭まるように弾性変形させながら反射板本体の溝状をなす一対の本体縁部の内側に夫々挿入することによって、これら反射板本体と端板とを連結できる。
【００１１】
すなわち、前記挿入に従い連結突部は、本体縁部の相対向する下縁部と立上り縁部とに弾性的に接して、これら下縁部と立上り縁部とで挟持される。そして、端板が反射板本体の長手方向の端面に当接して前記挿入操作が完了すると同時に、連結突部に設けた係合凸部が本体縁部の孔又は切欠きからなる係合部に丁度対向し、この係合凸部が連結突部の弾性力により係合部に入り込んで、端板が外れないように引っ掛る。したがって、既述のように端板を押込むだけの簡単な作業によって、反射板本体の下部と端板の下部とをリベット等の固定部品を用いたり、溶接止めやかしめ止め等によることなく連結できる。
【００１２】
前記請求項１又は２の発明を実施するにあたり、これらの発明に従属する請求項３の発明のように、前記端板に前記反射板本体側に折れ曲がって前記反射板本体の長手方向両端部に重なる重なり片を設け、前記本体縁部間に位置して前記反射板本体の長手方向両端部と前記重なり片とのいずれか一方に係合孔を設け、他方に前記係合孔に引っ掛る係合突起を設けるとよい。この場合には前記請求項１又は２の発明の作用に加えて、次の作用がある。すなわち、端板の連結突部を本体縁部に挿入することに伴って、前記一対の連結突部と本体縁部との引っ掛り部より上側位置においては、端板の重なり片が反射板本体の長手方向の端部に重なると同時に、反射板本体又は端板のいずれか一方の係合突起が他方の係合孔に引っ掛かるので、反射板本体と端板の上部側の連結についてもリベット等の固定部品を用いたり、溶接止めやかしめ止め等によることなく連結できる。
【００１３】
【発明の実施の形態】
以下、図１〜図６を参照して本発明の第１の実施の形態を説明する。図１は第１の実施の形態に係る天井埋め込み型照明器具の構成を示す断面図であり、この図１に示されるように器具本体を兼ねる下面開放型の反射板１１と、この反射板１１の長手方向両端部に夫々ねじ止めされた設置金具１２（一方のみ図示）とを具備している。
【００１４】
設置金具１２は反射板１１を幅方向に横断して設けられ両端部が下向きに折り曲げられてコの字状をなしているとともに、これらの端部には、夫々載置板部１２ａが折り曲げられているとともに、フック状をなした板ばね製の押さえ板１２ｂが取付けられている。図１中１３は天井スラブに吊持されるＴバーと通称される器具支持レールであり、その上端に載置板部１２ａを載置するとともに、中間部に押さえ板１２ｂを引っかけることにより、前記照明器具がシステム天井に設置されるようになっている。なお、この設置状態において器具支持レール１３の下端部には反射板１１の後述する本体縁部２５が載置される。又、図１中１４は器具支持レール１３の下端部に縁部を載置して天井に配置された天井パネルである。
【００１５】
図１及び図２に示されるように反射板１１は、反射板本体２１と、左右一対の端板２２と、Ｖ形反射板２３とを備えている。これら各部材２１〜２３は、いずれも板金製、例えばカラー鋼板製である。
【００１６】
反射板本体２１は、下面及び長手方向両端が夫々開放されているとともに、その幅方向中央部には上方に凸となる中央凸部２１ａが折り曲げられている。この凸部２１ａの上面には前記設置金具１２が固定されている。更に、中央凸部２１ａの長手方向両端部には夫々図３に示されるように角孔等からなる係合孔２４が開けられている。
【００１７】
反射板本体２１は、その幅方向両端に本体縁部２５を有している。図３から図６に示されるように本体縁部２５は、下縁部２５ａと、張り出し縁部２５ｂと、上向き縁部２５ｃとからなり、上面及び長手方向両端が開放された断面コ字形の溝状をなしている。下縁部２５ａは反射板本体２１の両側壁の略垂直状をなした下部によって形成され、張り出し縁部２５ｂは下縁部から外側に向けて水平に折り曲げられた部分で形成されている。上向き縁部２５ｃは張り出し縁部２５ｂから垂直状に上向きに折り曲げられて下縁部２５ａの外面に対向する部分で形成されている。
【００１８】
この上向き縁部２５ｃの長手方向両端部には夫々角孔等からなる係合部２６（一個所のみ図示）が形成されている。なお、本発明において係合部２６は角孔に代えて上向き縁部２５ｃの上端に開放する切欠きにより形成してもよいが、いずれにしても係合部２６の端板２２側の縁を垂直状とすることは後述の引っ掛かりを確実に得られる点で好ましい。
【００１９】
図３に示されるように反射板本体２１の開放された端面を塞ぐ端板２２は、その幅方向（反射板本体２１の幅方向と同じ）両端の下端部に夫々連結突部２７を一体に有しているとともに、端板縁部２８を一体に有している。更に、一対の連結突部２７間において端板２２の上部には、第１重なり片２９と、この両側に位置される第２重なり片３０とを夫々有している。
【００２０】
前記中央凸部２１ａの長手方向両端部下面に重ね合わされる第１重なり片２９は、反射板本体２１側に突出して折り曲げられている。この重なり片２９には係合孔２４に引っ掛る係合突起３１が例えば傾斜状に切起こして設けれられている。この突起３１は、後述の反射板組立作業において中央凸部２１ａの端面に係合突起３１が引っ掛って挿入不良を起こさないようにするために、第１重なり片２９の先端側程低くなる傾斜をもっている。
【００２１】
なお、前記のように前記係合孔２４と係合突起３１との引っ掛りを設ける場合、係合孔２４を第１重なり片２９に設けるとともに、係合突起３１を中央凸部２１ａの長手方向の端部に設けてもよい。又、第１重なり片２９は中央凸部２１ａの長手方向の端部の上面に重なるようにしてもよい。
【００２２】
又、第１重なり片２９よりも低い位置において反射板本体２１側に突出して折り曲げられた一対の第２重なり片２９は、中央凸部２１ａの根元部に連続する部分の下面又は上面に重ね合わされるものである。なお、反射板本体２１と端板２２との上部の連結をより確実にするために、第１重なり片２０又は第２重なり片３０のいずれかを必要により反射板本体２１にねじ止めしてもよい。
【００２３】
前記一対の連結突部２７は反射板本体２１側に突出してＵ字状に折り返されている。したがって、これら連結突部２７は先端先細状であるとともに、その幅方向に弾性変形が可能である。そして、連結突部２７の折り返し端部には、その折り返し方向に沿って延びるとともに前記係合部２６に引っ掛けられる係合片３２が一体に突設されている。係合片３２の幅は連結突部２６のその他の部分の幅よりも小さい。これら連結突部２７と前記本体縁部２５との寸法関係は、本体縁部２５の相対向する下縁部２５ａと上向き縁部２５ｃとの間隔、言い換えれば、本体溝部２５の溝幅をＣ、連結突部２７の先端部の幅をＡ、かつ、連結突部２７の根元部側の最大幅をＢと置いたとき、これらの幅はＡ≦Ｃ≦Ｂの寸法関係を満たすように定められている。
【００２４】
なお、前記端板縁部２８は、連結突部２７とは逆方向に張り出す部分とこの部分から垂直状をなして上向きに折り曲げられた部分とから形成されている。
【００２５】
又、図１に示されるように前記Ｖ形反射板２３は、その一対の上縁部を前記中央凸部２１ａに図示しない爪係合手段などにより連結して、反射板本体２１の幅方向中央部に配置される。この反射板２３は中央凸部２１ａに装着された放電灯安定器３３や図示しない電源端子台等の電気部品を覆い隠している。なお、図１及び図２中３４はＶ形反射板２３の長手方向両端部を横断して設置されたソケット台であり、これには夫々一対のランプソケット３５が取付けられている。これらランプソケット３５には直管型蛍光ランプ３６が着脱可能に支持される。
【００２６】
前記構成の照明器具の反射板１１を組立てるには、図３に示されるように反射板本体２１に対して端板２２を位置合わせした状態で、この端板２２を反射板本体２１に押付け、端板２２の一対の連結突部２７を、その幅が狭まるように弾性変形させながら反射板本体２１の溝状をなす一対の本体縁部２５の内側に夫々挿入すればよい。
【００２７】
すなわち、前記挿入においては、本体縁部２５の溝幅Ａと連結突部２７の先端部の幅ＣとがＡ≦Ｃの関係となっており、しかも、連結突部２７の先端部は丸みを帯びて折り返されているから、本体縁部２５の長手方向の端面に連結突部２７が引っ掛ることなく、この突部２７を容易かつ円滑に挿入できる。
【００２８】
この挿入の進行に従い、本体縁部２５の溝幅Ａと連結突部２７の最大幅ＢとがＡ≦Ｂの関係となっているから、連結突部２７がその幅を狭めるような弾性変形を伴って、この突部２７は本体縁部２５の相対向する下縁部２５ａと立上り縁部２５ｃとに夫々弾性的に接する。したがって、下縁部２５ａと立上り縁部２５ｃとで連結突部２７が挟まれようになる。
【００２９】
そして、端板２２が反射板本体２１の長手方向の端面に当接して前記挿入操作が完了すると同時に、連結突部２７に設けた係合片３２が本体縁部２５の係合部２６に丁度対向して、この係合片３２が連結突部２７の弾性力により係合部２６に入り込んで、図５及び図６に示されるように端板２２が外れないように引っ掛る。
【００３０】
したがって、端板２２を既述のように押込むだけの簡単な作業によって、反射板本体２１の下部と端板２２の下部とを、リベット等の固定部品を用いたり、溶接止めやかしめ止め等によることなく連結できるものであり、そのため、下面開放型の反射板１１をなす反射板本体２１と端板２２との連結において、これら両部材２１、２２を連結するための固定部品を省略ないしはその数を削減でき、よって、反射板１１の組立て作業性を向上できて安価に得ることができる。又、以上のような連結構造においては、溶接止めをしないので、連結部に溶接に伴う変色を生じることがなく、したがって、組立後に塗装を要しないカラー鋼板製の反射板１１の連結構造として好適である。
【００３１】
しかも、本実施形態においては、同時に、端板２２の第１、第２の重なり片２９、３０が反射板本体２１の長さ方向の端部内面に重なり合うように挿入されるとともに、それに伴って、第１重なり片２９の係合突起３１が反射板本体２１の係合孔２４に入り込んで引っ掛るので、反射板本体２１と端板２２とを連結するための固定部品を全く必要としないので、更に、組立て作業性を向上できるとともにより安価に得ることができる。
【００３２】
なお、前記第１実施形態では、Ｕ字状連結突部２７の折り曲げ片部が反射板本体２１の幅方向において上向き縁部２５ｃ側に位置されるように曲げたが、これに代えて、前記折り曲げ片部が反射板本体２１の幅方向において下縁部２５ａ側に位置されるように曲げて形成してもよく、この場合、係合部２６を下縁部２５ａに設けて実施することができる。
【００３３】
図７および図８は本発明の第２の実施の形態を示している。この実施の形態は基本的には前記第１の実施の形態と同様な構成であるので、同様構成部分には前記第１の実施の形態と同じ符号を付して、その構成および作用の説明を省略し、以下異なる部分について説明する。
【００３４】
第２の実施の形態が第１の実施の形態と異なる部分は、Ｕ字状連結突部２７をその折り曲げ片部が反射板本体２１の幅方向において下縁部２５ａ側に位置されるように曲げて形成した点と、上向き縁部２５ｃの係合部２６を孔ではなく上向き縁部２５ｃの上端に開放される切欠きにより形成するとともに、係合部２６に引っ掛る係合凸部４１を連結突部２７の根元部外面に設けた点である。係合凸部４１は連結突部２７の根元部に垂直なスリットを予め設けて置いて、これよりも先端側近傍部分を外側に膨出させることによって形成されているとともに、係合凸部４１は連結突部２７の先端側膨出高さが低くなるように傾斜されていて、連結突部２７の本体縁部２５への挿入に際して係合凸部４１が本体縁部２５に引っ掛ることが少なくなるようになっている。なお、以上の点以外の構成は、図７及び図８に示されない部分を含めて前記第１実施形態と同じである。
【００３５】
この第２実施形態に係る照明器具の反射板１１を組立てる場合にも、図７に示されるように反射板本体２１に対して端板２２を位置合わせした状態で、この端板２２を反射板本体２１に押付け、端板２２の一対の連結突部２７を、その幅が狭まるように弾性変形させながら反射板本体２１の溝状をなす一対の本体縁部２５の内側に夫々挿入すればよい。
【００３６】
すなわち、前記挿入においては、本体縁部２５の溝幅Ａと連結突部２７の先端部の幅ＣとがＡ≦Ｃの関係となっており、しかも、連結突部２７の先端部は丸みを帯びて折り返されているから、本体縁部２５の長手方向の端面に連結突部２７が引っ掛ることなく、この突部２７を容易かつ円滑に挿入できる。
【００３７】
この挿入の進行に従い、本体縁部２５の溝幅Ａと連結突部２７の最大幅ＢとがＡ≦Ｂの関係となっているから、連結突部２７がその幅を狭めるような弾性変形を伴って、この突部２７は本体縁部２５の相対向する下縁部２５ａと立上り縁部２５ｃとに夫々弾性的に接する。したがって、下縁部２５ａと立上り縁部２５ｃとで連結突部２７が挟まれようになる。
【００３８】
そして、端板２２が反射板本体２１の長手方向の端面に当接して前記挿入操作が完了すると同時に、連結突部２７に設けた係合凸部４１が本体縁部２５の係合部２６に丁度対向して、この係合凸部４１が連結突部２７の弾性力により係合部２６に入り込んで、図７に示されるように端板２２が外れないように引っ掛る。
【００３９】
したがって、端板２２を既述のように押込むだけの簡単な作業によって、反射板本体２１の下部と端板２２の下部とを、リベット等の固定部品を用いたり、溶接止めやかしめ止め等によることなく連結できるものであり、そのため、下面開放型の反射板１１をなす反射板本体２１と端板２２との連結において、これら両部材２１、２２を連結するための固定部品を省略ないしはその数を削減でき、よって、反射板１１の組立て作業性を向上できて安価に得ることができる。又、以上のような連結構造においては、溶接止めをしないので、連結部に溶接に伴う変色を生じることがなく、したがって、組立後に塗装を要しないカラー鋼板製の反射板１１の連結構造として好適である。
【００４０】
なお、反射板本体２１と端板２２との図示しない上部においは、第１実施形態と同様に第１重なり片の係合突起が反射板本体２１の係合孔に入り込んで引っ掛る。そのため、反射板本体２１と端板２２とを連結するための固定部品を全く必要とすることがなく、組立て作業性を更に向上できるとともにより安価に得ることができる。
【００４１】
図９および図１０は本発明の第３の実施の形態を示している。この実施の形態は基本的には前記第２の実施の形態と同様な構成であるので、同様構成部分には前記第２の実施の形態と同じ符号を付して、その構成および作用の説明を省略し、以下異なる部分について説明する。
【００４２】
第３の実施の形態が第２の実施の形態と異なる部分は、Ｕ字状連結突部２７をその折り曲げ片部が反射板本体２１の幅方向において上向き縁部２５ｃ側に位置されるように曲げて形成した点と、前記折り曲げ片部に係合凸部４２を設けた点である。係合凸部４２は連結突部２７の根元部に垂直な一対のスリットを予め設けて置いて、これらスリット間を外側に膨出させることによって形成されているとともに、係合凸部４２は連結突部２７の先端側膨出高さが低くなるように傾斜されていて、連結突部２７の本体縁部２５への挿入に際して係合凸部４２が本体縁部２５に引っ掛ることが少なくなるようになっている。なお、以上の点以外の構成は、図９及び図１０に示されない部分を含めて前記第２実施形態と同じである。
【００４３】
したがって、この第３実施形態においては前記第２実施形態と同様の作用により本発明の課題を解決できる。
【００４４】
なお、本発明は前記各実施の形態には制約されない。例えば、照明器具としては、反射板本体の下面開口を覆うように配置されるルーバ等の制光体を備えていてもよい。又、反射板本体及び端板にはカラー鋼板に代えて組立後に塗装を要する鋼板を用いてもよい。
【００４５】
【発明の効果】
本発明は、以上説明したような形態で実施され、以下に記載されるような効果を奏する。
【００４６】
請求項１及び２に記載の発明によれば、端板に一体に突設された一対の連結突部を、その幅が狭まるように弾性変形させながら反射板本体の溝状をなす一対の本体縁部の内側に夫々挿入するだけの簡単な作業によって、反射板本体の下部と端板の下部とを、リベット等の固定部品を用いたり、溶接止めやかしめ止め等によることなく連結できるので、反射板本体と端板との連結において、これら両部材を連結するための固定部品を省略ないしはその数を削減でき、したがって、反射板の組立て作業性を向上できて安価に得ることができる。
【００４７】
請求項１又は２の発明に従属する請求項３に記載の発明によれば、反射板本体と端板の下部だけではなく上部側の連結についてもリベット等の固定部品を用いたり、溶接止めやかしめ止め等によることなく連結できるので、反射板の組立て作業性をより向上できて更に安価に得ることができる。
【図面の簡単な説明】
【図１】本発明の第１の実施の形態に係る照明器具の構成を示す断面図。
【図２】図１に示された照明器具の反射板の構成を示す斜視図。
【図３】図１に示された照明器具の反射板の反射板本体とこれに連結される端板とを分解して示す斜視図。
【図４】図３に示された反射板本体と端板との連結構造を分解して示す斜視図。
【図５】図３に示された反射板本体と端板とが連結された状態を示す斜視図。
【図６】図３に示された反射板本体と端板とが連結された状態を示す断面図。
【図７】本発明の第２の実施の形態に係る照明器具の反射板の反射板本体とこれに連結される端板とを分解して示す斜視図。
【図８】図７に示された反射板本体と端板とが連結された状態を示す断面図。
【図９】本発明の第３の実施の形態に係る照明器具の反射板の反射板本体とこれに連結される端板とを分解して示す斜視図。
【図１０】図８に示された反射板本体と端板とが連結された状態を示す断面図。
【図１１】従来例に係る照明器具の反射板の構成を示す斜視図。
【図１２】図１１に示された照明器の端部の構成を示す斜視図。
【符号の説明】
１１…反射板、
２１…反射板本体、
２２…端板、
２４…係合孔、
２５…本体縁部、
２５ａ…本体縁部の下縁部
２５ｂ…本体縁部の張り出し縁部、
２５ｃ…本体縁部の上向き縁部、
２７…連結突部、
２９…第１重なり片、
３１…係合突起、
３２…係合片、
４１、４２…係合凸部。
【図１】
0004000684.tif 000002
【図２】
0004000684.tif 000003
【図３】
0004000684.tif 000004
【図４】
0004000684.tif 000005
【図５】
0004000684.tif 000006
【図６】
0004000684.tif 000007
【図７】
0004000684.tif 000008
【図８】
0004000684.tif 000009
【図９】
0004000684.tif 000010
【図１０】
0004000684.tif 000011
【図１１】
0004000684.tif 000012
【図１２】
0004000684.tif 000013